(57)【特許請求の範囲】
【請求項１】
それぞれ行方向に平行に延びる複数個の走査電極と維持電極を有し、隣合う走査電極２個と隣合う維持電極２個とを交互に配置し、前記走査電極と前記維持電極との間に表示ラインを構成した第１の基板と、前記第１の基板上の走査電極と維持電極とを形成した面に対向するように設けられ、前記走査電極及び維持電極が延在する行方向に直交する列方向に延在する複数のデータ電極と、前記データ電極を挟んで前記表示ラインを列方向に区画する隔壁を有する前記第２の基板と、を組み合わせ、前記走査電極及び前記維持電極と前記データ電極との各交点に複数個の表示セルが設けられたマトリクス型のプラズマディスプレイパネルの駆動方法であって、
１つの前記走査電極に属する前記表示セルの表示の有無を制御する選択期間において、当該表示セルに属する前記維持電極の電位と前記維持電極と隣合う維持電極の電位を異なった値とすることを特徴とする、プラズマディスプレイパネルの駆動方法。
【請求項２】
当該表示セルに属する前記走査電極と前記維持電極間で発生する放電が前記維持電極と隣合う維持電極へ広がることを抑制するように、前記維持電極と隣合う維持電極の電位を設定することを特徴とする、請求項１記載のプラズマディスプレイパネルの駆動方法。
【請求項３】
選択のための放電を行う走査期間と表示のための放電を行う維持期間とを時間的に分離することを特徴とする、請求項１乃至２記載のプラズマディスプレイパネルの駆動方法。
【請求項４】
前記走査期間において、選択のための放電を行う順序が表示行に対して線順次に連続して行われることを特徴とする、請求項３記載のプラズマディスプレイパネルの駆動方法。
【請求項５】
前記走査期間において、選択のための放電を行う順序が表示行に対して１行おきに行われることを特徴とする、請求項３記載のプラズマディスプレイパネルの駆動方法。
【請求項６】
前記走査電極及び前記維持電極は、走査電極同士又は維持電極同士の間の非放電空間側幅狭部を有し、幅狭部の幅を含み、且つ列方向で放電空間を分離しないように非放電空間に隔壁を配置することを特徴とする、請求項１乃至請求項５のいずれかに記載のプラズマディスプレイパネルの駆動方法。
【請求項７】
前記走査電極及び前記維持電極は、データ電極を覆うように設けられている、請求項６記載のプラズマディスプレイパネルの駆動方法。
【発明の詳細な説明】
【０００１】
【発明の属する技術分野】
本発明は、プラズマディスプレイパネルの駆動方法に関する。
【０００２】
【従来の技術】
プラズマディスプレイパネルには構造上の分類により、電極が放電ガスに露出しているＤＣ型と、電極が誘電体に覆われており、放電ガスには直接露出していないＡＣ型がある。さらにＡＣ型には、上記誘電体の電荷蓄積作用によるメモリ機能を利用するメモリ動作型と、これを利用しないリフレッシュ動作型がある。一般的なＡＣ型プラズマディスプレイパネル及びそのメモリ動作型の駆動方法について、図面を参照して説明する。
図８は従来のプラズマディスプレイパネルを示す分解斜視図である。プラズマディスプレイパネルには、前面及び背面の２つの絶縁基板１０１ａ及び１０１ｂが設けられている。絶縁基板１０１ａ上には、所定の間隔を隔てて走査電極１０９及び維持電極１１０が平行に対を成して配置される。走査電極１０９及び維持電極１１０は、それぞれが電気伝導性を確保するためのバス電極１０３と放電を行うための主放電電極１０２からなる。図８では、主放電電極１０２として透過率を低下させないために透明電極が用いられているが、透明電極である必要はない。走査電極１０９及び維持電極１１０は誘電体層１０４ａに覆われ、この誘電体層１０４ａを放電から保護する酸化マグネシウム等からなる保護膜１０５が誘電体層１０４ａ上に形成されている。
【０００３】
絶縁基板１０１ｂ上には、走査電極１０９及び維持電極１１０と直交するように、データ電極１０６が配置される。データ電極１０６は誘電体層１０４ｂに覆われ、誘電体層４ｂ上には、放電空間を確保すると共に、セルを区切るための隔壁１０７が形成される。隔壁１０７が形成されていない誘電体層１０４ｂ上及び隔壁１０７側面には、放電により発生する紫外線を可視光に変換するための蛍光体１０８が塗布されている。この蛍光体１０８をセル毎に、例えば光の３原色である赤緑青（ＲＧＢ）に塗り分ければ、カラー表示を行うことができる。絶縁基板１０１ａ及び１０１ｂに挟まれ隔壁１０７によって区切られた空間には、ヘリウム、ネオン及びキセノン等又はこれらの混合ガスからなる放電ガスが封入される。
【０００４】
プラズマディスプレイを表示面側から見た平面図を図９（ａ）に示す。走査電極（Ｓ）１０９と維持電極（Ｃ）１１０は行方向に平行に対を成して配置される。走査電極１０９と維持電極１１０によって作られる間隙のうち、小さい距離の方を放電空間と呼び、走査電極１０９と維持電極１１０の間で面放電が発生し、表示ラインを構成する。他方、大きい間隙であり、放電が発生しない方を非放電空間と呼ぶ。
【０００５】
次に、従来のメモリ動作型ＡＣ型プラズマディスプレイパネルの駆動方法について図１０を参照して説明する。図１０は従来の駆動方法における各電極に印加される電圧パルスを示すタイムチャートである。図中においてＳｉはｉ番目に走査される走査電極１０９を、Ｃは維持電極１１０を、Ｄはデータ電極１０６を表している。
図１０に示すように、基本的な駆動の一周期は、セルの状態を初期化し、放電を発生しやすくするための期間である初期化期間、表示するセルを選択する期間である走査期間、走査期間で選択したセルを発光させる期間である維持期間に分離されている。まず、初期化期間では、全ての走査電極（Ｓ）１０９に消去パルスを印加し、図示した時間以前に維持放電で発光していた表示セルの放電を停止させ、全ての表示セルを消去状態にする。次いで、全ての走査電極（Ｓ）１０９に予備放電パルスを印加し、全表示セルを強制的に放電発光させ、さらに、全ての走査電極（Ｓ）１０９に予備放電消去パルスを印加して、全ての表示セルの放電を消去する。これら予備放電及び予備放電消去により、後続する書込み放電が容易になる。
【０００６】
選択のための放電を行う走査期間では、各走査電極（Ｓｉ）にタイミングをずらしつつ走査パルスを順次に印加し、走査パルスを印加したタイミングに合わせて、データ電極１０６に表示データに応じてデータパルスを印加する。走査パルス印加時にデータパルスが印加されたセルでは、走査電極（Ｓ）１０９とデータ電極Ｄの間で放電が発生し、この放電に誘発されて走査電極（Ｓ）１０９と維持電極（Ｃ）１１０との間でも放電が発生する。これら一連の動作を書込み放電と呼ぶ。書込み放電が発生すると走査電極（Ｓ）１０９上の誘電体層１０４ａには正電荷が、維持電極（Ｃ）１１０上の誘電体層４ａには負電荷が、データ電極（Ｄ）１０６上の誘電体層１０４ｂには負電荷が蓄積される。
【０００７】
維持期間では、走査期間において書込み放電が発生し、誘電体層１０４ａに蓄えられた電荷による電圧が維持電圧に重畳された場合には、走査電極（Ｓｉ）１０９と維持電極（Ｃ）１１０との間で面放電が発生する。走査期間で書込み放電が発生せず、誘電体層１０４ａに壁電荷が形成されていない場合には、面放電が発生する開始電圧を超えないような電圧に維持電圧が設定されている。従って、走査期間において選択したセルのみで表示のための維持放電が発生する。
【０００８】
第１回目の維持放電が発生すると、走査電極（Ｓ）１０９上の誘電体層１０４ａには負電荷が蓄積され、維持電極（Ｃ）１１０上の誘電体層１０４ａには正電荷が蓄積される。第２番目の維持パルスは、第１回目の維持パルスとは走査電極（Ｓｉ）１０９と維持電極（Ｃ）１１０に印加される電圧の極性が逆転しているため、誘電体層１０４ａに蓄えられた電荷による電圧が重畳されて、第２回目の放電が発生する。以降同様に、維持放電が持続される。第１回目の維持パルスで面放電が発生しなかった場合には、以降の維持パルスにおいても放電は発生しない。
【０００９】
以上説明してきた、初期化期間と走査期間、及び維持期間の３つの期間を合わせてサブフィールドと呼び、複数のサブフィールドのそれぞれのオン／オフによって映像を表現する。以上説明した駆動方法においては、プラズマディスプレイパネルの発光輝度は維持期間における維持パルス数、即ち、発光回数と、発光１回当たりの輝度の積で表される。よって、輝度を増大させるためには、いずれかを大きくすれば良い。
【００１０】
しかし、発光回数を増やすと、維持期間が増加してしまい、走査期間を圧迫してしまうため、それ程多く増やすことはできない。一方で維持パルスの幅を短くすることによって維持期間の長さを保持したまま、パルス数を増やすこともできるが、パルス幅を短くし過ぎると、壁電荷形成が不十分になって、正常に点灯できなくなるため、過度にパルス幅を短くすることはできない。そのため、発光１回当たりの輝度を増大することが望まれる。
【００１１】
発光１回当たりの輝度を増大する方法の１つは、維持放電を行うための電極を大きくして、放電発生領域を大きくすることである。しかし、図９（ａ）を見るとわかるように、行方向にはこれ以上幅を広くとることはできない。列方向に延ばすことは可能だが、非放電空間が狭くなり、列方向のセル間で干渉しやすくなる。
そこで図１１のように、非放電空間にも隔壁１０７’を挿入して、１つのセルを密閉型の構造にすることで、物理的に誤放電を防止するような構造を採用する場合もある。図９（ｂ）はこのような構造のプラズマディスプレイパネルを表示面側から見た平面図を示している。非放電空間を狭める場合には、図９（ｃ）のように、２個の走査電極Ｓｉ，Ｓｉ＋１と２個の維持電極Ｃ，Ｃを交互に配置し、非放電空間は走査電極同士、維持電極同士で挟まれるようにすれば、維持期間の負荷となる電極間の静電容量を低減することができる。これらのセル構造のプラズマディスプレイパネルも図１０に示した方法により駆動することが可能である。
【００１２】
次に走査期間における駆動の安定性について述べる。走査期間において、走査パルスが印加されてから書込み放電が発生するまでには、ある程度の時間が必要である。この時間を放電遅れ時間と呼んでいる。この放電遅れ時間はプラズマディスプレイパネルの様々なパラメータにより確率的な値として決定されるが、そのうちの重要な指標として、放電空間内の荷電粒子やメタステーブルなどの密度が挙げられる。これら荷電粒子及びメタステーブルをまとめてプライミング粒子と呼んでいる。これら粒子の供給源としては、初期化期間の予備放電や維持放電などがある。これらの粒子が存在すると、放電の発生のし易さ、放電確率が上昇する。
図１０に示した駆動方法では、セルの表示の選択は走査期間表示行に対して線順次に連続して行われる。そのため、列方向のセルで同じサブフィールドが選択される場合などでは、書込み放電が発生した直後に、列方向で隣合うセルでも書込み放電が行われる。書込み放電が発生した時には多量のプライミング粒子が発生するが、列方向のセル間で放電空間が接続されていれば隣合うセルにプライミング粒子が拡散し、隣合うセルの放電確率が上昇する。その直後に隣合うセルにおいても書込み放電が発生する。この時、プライミング粒子は発生直後であるため、ほとんど減少しておらず、放電確率は非常に大きな値になっており、放電遅れ時間が短縮され、書込み放電がより確実に発生するようになり、点灯不良を防止することができる。そのため、書込み放電によって発生するプライミング粒子は大きい影響をもつ。
【００１３】
【発明が解決しようとする課題】
維持放電を行うための電極を列方向に延ばすと、非放電空間が狭くなり、その結果、列方向で干渉が発生してしまう。書込み放電時には、放電は走査電極１０９と維持電極１１０の間だけでなく、走査電極１０９とデータ電極１０６の間でも発生するため、特に干渉が発生しやすい。
また、２個の走査電極１０９と２個の維持電極１１０を交互に配置して、隣合う走査電極１０９と維持電極１１０によって表示ラインを構成するプラズマディスプレイパネルにおいて、走査期間では、走査している走査電極１０９のみに走査パルスが印加されるため、隣合う走査電極間には常に電位差が設けられている。しかし、維持電極１１０は常に同電位に保持されているため、隣合う維持電極間で電位差がないため、干渉が発生しやすく、動作マージンを圧迫していた。
【００１４】
そのため、図９（ｂ）及び図９（ｃ）のように、非放電空間である列方向のセル間にも隔壁を設けて密閉型のセル構造にして、放電空間を区切る必要があった。しかし、この隔壁を適用することによって、遮光される領域が増加してしまい、その結果、輝度が減少してしまう。
また、それぞれのセルの密閉性が大きいため、隣合うセルからのプライミング粒子を取り込めず、列方向でセルが連続選択される場合にも放電遅れ時間が改善されず、点灯不良になることがあった。
【００１５】
さらに、放電ガスを封入する前にはプラズマディスプレイパネル内を一度真空にして、不要なガスを排除しておく必要があるが、真空にする時には排気コンダクタンスによって排気時間が決まるため、密閉性の高いセル構造のプラズマディスプレイパネルでは排気に時間がかかってしまう。
【００１６】
そこで、放電発生領域を取り囲むように横隔壁に溝を設けることによって動作マージンを改善する試みが特開２００１−１８９１３３に示されている。しかし発明者らの実験によれば、本構成によっても非放電空間を狭めた場合の干渉の抑制は十分ではなく、動作マージンを大きく圧迫するものであった。そのため、放電を行うための電極を大きくすることができないため、輝度を増大することができなかった。
【００１７】
さらに、特開２０００−１２３７４７記載の方法では、干渉を抑制するために、行方向のセル間の隔壁よりも低い高さの突起物形成が述べられている。しかし、行方向セル間の隔壁高さと異なるため、隔壁形成のための製造工程が複雑になってしまうという問題がある。
【００１８】
本発明の目的は、隣合うセル間の干渉を抑制して、動作マージンを大きくとることができるプラズマディスプレイパネルの駆動方法を提供することにある。本発明の他の目的は、セル間に隔壁を設けた場合においても、隔壁によって遮蔽される領域を縮小し、高輝度を得ることができるプラズマディスプレイパネルの駆動方法を提供することにある。本発明のさらに他の目的は、製造時の排気コンダクタンスを低減することができるプラズマディスプレイパネルの駆動方法を提供することにある。
【００１９】
【課題を解決するための手段】
そこで、本発明は、それぞれ行方向に平行に延びる複数個の走査電極と維持電極を有し、隣合う走査電極２個と隣合う維持電極２個とを交互に配置し、前記走査電極と前記維持電極との間に表示ラインを構成した第１の基板と、前記第１の基板上の走査電極と維持電極とを形成した面に対向するように設けられ、前記走査電極及び維持電極が延在する行方向に直交する列方向に延在する複数のデータ電極と、前記データ電極を挟んで前記表示ラインを列方向に区画する隔壁を有する前記第２の基板と、を組み合わせ、前記走査電極及び前記維持電極と前記データ電極との各交点に複数個の表示セルが設けられたマトリクス型のプラズマディスプレイパネルの駆動方法であって、１つの前記走査電極に属する前記表示セルの表示の有無を制御する選択期間において、当該表示セルに属する前記維持電極の電位と前記維持電極と隣合う維持電極の電位を異なった値とすることにより前記課題を解決した。
【００２０】
以上のように、１つの前記走査電極に属する表示セルの維持電極の電位と、この維持電極と隣合う維持電極の電位を異ならせることにより、書込み放電が発生しているセルの放電が、隣合うセルにまでは放電が広がらなくなり、干渉を抑制できるようになった。その結果、隣合うセルの誘電体層に蓄積されている壁電荷の配置が保たれ、隣合うセルにおいても書込み放電が正常に発生するため、動作マージンが拡大する。
【００２１】
当該表示セルに属する前記走査電極と前記維持電極間で発生する放電が前記維持電極と隣合う維持電極へ広がることを抑制するように、前記維持電極と隣合う維持電極の電位を設定することが好ましい。また、選択のための放電を行う選択期間と表示のための放電を行う維持期間とを時間的に分離することが好ましい。こうすることにより、動作マージンが拡大する。
【００２２】
走査期間において、選択のための放電を行う順序が通常は表示行に対して線順次に連続して行われる。しかし、走査期間において、選択のための放電を行う順序が表示行に対して１行おきに行われることが好ましい。こうすることにより、充放電電流を減らすことができ、消費電力増大を避けることができる。
【００２３】
走査電極及び維持電極は、走査電極同士又は維持電極同士の間の非放電空間側幅狭部を有していることが好ましい。
こうすることにより、放電が強く発生する放電領域を制限し、表示ライン間の間隔が狭い場合でも、隣合うセル間での放電の広がりを抑制することができる。その結果、干渉を抑制することができ、動作マージンが拡大する。
【００２５】
さらに、走査電極及び維持電極は、データ電極を覆うように設けられていることが好ましい。こうすることにより、放電が強く発生する放電領域を制限することができ、干渉を抑制することができ、動作マージンが拡大する。
【００３１】
【発明の実施の形態】
以下、本発明の実施形態について図面を参照して説明する。本実施形態で用いるプラズマディスプレイパネルの構造は図１に示されている。図２は、図１のプラズマディスプレイパネルを表示面側から見た平面図である。
図１及び図２のプラズマディスプレイパネルは、絶縁基板１ａ，１ｂが対向して配置されている。絶縁基板１ａ上には、互いに所定の間隔をおいて行方向に延びる複数の走査電極９及び維持電極１０が平行になるように設けられ、２個の走査電極９と２個の維持電極１０が交互に配置されている。
走査電極９と維持電極１０はそれぞれ、行方向の電気伝導性を確保するためのバス電極３と、放電を行うための主放電電極２よりなっている。隣合う走査電極と維持電極の間が放電空間になっており、走査電極間及び維持電極間は非放電空間になっている。
【００３２】
走査電極９と維持電極１０は誘電体層４ａに覆われており、この誘電体層４ａを放電から保護するために、酸化マグネシウム等からなる保護膜５が誘電体層４ａ上に形成されている。
他方、絶縁基板１ｂ上には、走査電極９と維持電極１０とに直交するように、データ電極６が配置されている。データ電極６は誘電体層４ｂに覆われており、誘電体層４ｂ上には絶縁基板１ａ，１ｂの間に放電空間を確保すると共に、セルを区画するための隔壁７が列方向に延びるように形成されている。
さらに図１に示されるように、非放電空間には、列方向のそれぞれの隔壁７の間に隙間を設けるようにして第２の隔壁７’が配置されている。
隔壁７，７’が形成されていない誘電体層４ｂ上及び隔壁７，７’、非放電空間に配置された第２の隔壁７’の側面には、放電により発生する紫外線を可視光に変換するための蛍光体８が塗布されている。絶縁基板１ａ，１ｂによって挟まれ、隔壁７によって区画された空間には、ヘリウム、ネオン、キセノン等、又は、これらの混合ガスからなる放電ガスが封入されている。
【００３３】
図３は本発明の第１の実施形態に係るプラズマディスプレイパネルの駆動方法を示している。図中のＳｉはｉ番目の走査電極９を表し、Ｃ１はＳｉとセルをなしている維持電極１０、Ｃ２はＳｉ＋１とセルをなす維持電極１０であり、ｉが奇数である場合には、Ｃ１、Ｃ２はそれぞれ奇数行、偶数行に対応している。また、Ｄはデータ電極６を表している。
まず、初期化期間においては、全ての走査電極９に消去パルスを印加して、図示した以前に維持放電で発光していた表示セルの放電を停止させ、全ての表示セルを消去状態にする。次いで、全ての走査電極９に予備放電パルスを印加し、全表示セルを強制的に放電させ、さらに、全ての走査電極９に予備放電消去パルスを印加して、全ての表示セルの放電を停止する。これら予備放電及び予備放電消去により、後続する書込み放電が容易になる。
走査期間では、各走査電極９にタイミングをずらしつつ走査パルスを順次に印加し、走査パルスを印加したタイミングに合わせて、データ電極６に表示データに応じてデータパルスを印加する。ｉ番目の走査電極（Ｓｉ）を走査している時には、この走査電極（Ｓｉ）とセルをなす維持電極（Ｃ１）に印加する電圧は、従来例である図１１と同じ値であるが、維持電極（Ｃ１）と隣合う維持電極（Ｃ２）に印加する電圧は図中の電圧Ｖｂｗ２だけ低減する。この時、走査パルス印加時にデータパルスが印加されていれば、走査電極（Ｓｉ）９とデータ電極（Ｄ）６の間で放電が発生し、この放電に誘発されて走査電極（Ｓｉ）９と維持電極（Ｃ１）１０の間にも放電が発生する。ｉ＋１番目の走査電極を走査している時は、この走査電極（Ｓｉ＋１）とセルをなす維持電極（Ｃ２）に印加する電圧は、従来例である図１０の場合と同じであるが、維持電極（Ｃ２）と隣合う維持電極（Ｃ１）に印加する電圧はＶｂｗ２分だけ低減する。
書込み放電が発生すると、走査電極９上の誘電体層４ａには正電荷が、維持電極１０上の誘電体層４ａには負電荷が、データ電極Ｄ上の誘電体層４ｂには負電荷が蓄積され、セルの選択がなされる。選択されたセルでは、維持期間において維持パルスが印加される度に放電が発生し、表示のための発光が得られる。
【００３４】
本発明の駆動方法を用いたプラズマディスプレイパネルの動作マージンは図４（ａ）に示すように、１５７Ｖから１８４Ｖであった。これは図１０に示した従来の駆動方法を用いた場合の動作マージン、１５５Ｖから１７４Ｖと比べると、動作マージンは約１０Ｖも改善した。このような結果が得られるのは、図１０に示した駆動方法を用いた場合、非放電空間に設けられた隔壁と列方向の隔壁７の間の列方向セルの放電空間を接続している溝部を介して、書込み放電が隣合うセルに干渉することによる。
書込み放電では走査電極９とデータ電極６との間で発生する放電に誘発されて、走査電極９と維持電極１０の間でも放電が発生する。この時、書込み放電が発生しているセルには走査パルスが印加されており、隣合う走査電極には走査パルスは印加されていないため、走査電極同士で隣合うセル間には電位差が設けられており、放電は広がりにくい。
しかし、維持電極に関しては、図１０の駆動方法を用いた場合、維持電極は常に同じ電圧に保たれており、隣合う維持電極間で電位差がない。そのため、維持電極同士で挟まれる非放電空間では放電が隣合うセルへ広がり、干渉が発生していた。干渉が発生すると、隣合うセルの誘電体層４ａに蓄積されている壁電荷の配置が変化してしまうため、書込み放電が発生しなくなり、その結果、動作マージンが減少していた。
【００３５】
そこで、本発明においては、書込み放電を行っているセルでは維持電極１０に印加する電圧は従来と同じ値にするが、このセルと隣合うセルの維持電極１０に印加する電圧は従来印加されていた電圧、すなわち、書込み放電を行っているセルでは維持電極１０よりも低くする。このようにすることによって、隣合う維持電極間で電位差が設けられるため、すなわち、電位が異なるため、書込み放電が発生しているセルと隣合うセルにまでは放電が広がらなくなり、干渉を抑制できるようになった。その結果、隣合うセルの誘電体層４ａに蓄積されている壁電荷の配置が保たれ、隣合うセルにおいても書込み放電が正常に発生するため、動作マージンが拡大した。
【００３６】
図１及び図２に戻り、隔壁７に対して第２の隔壁７’が隙間をもって配置されているので、行方向の第２の隔壁によってセルが密閉型になっている場合と比べると、第２の隔壁による遮光が緩和され、輝度が向上した。
また、密閉型のセル構造ではプライミング効果をほとんど取り込めないため、走査順上位の列方向隣合うセルが選択される場合でも、走査順上位の列方向で隣合うセルが選択されない場合に比べて、放電遅れ時間は０．８倍程度までしか短縮しなかったが、本実施形態では列方向で放電空間を接続した結果、走査順上位の列方向隣合うセルからのプライミング効果を取り込めるようになり、走査順上位の列方向隣合うセルで書込み放電が発生した場合の放電遅れ時間は、走査順上位の列方向隣合うセルが選択されない場合と比べると放電遅れ時間は０．５倍程度にまで短縮された。
【００３７】
さらに、隙間によって列方向で放電空間が接続されているため、排気コンダクタンスが向上し、排気時間を短縮できた。
さらに、この隔壁構造では、列方向の隔壁７と行方向の第２の隔壁７’の高さが同じで良いため、製造過程において一度に形成でき、製造工程、並びにコストは従来と同じである。
なお、書込み放電は走査電極９とデータ電極６の間でも強い放電が発生するため、図２のように、非放電空間に配置する第２の隔壁７’はデータ電極６を覆うように設けると干渉を抑制しやすい。
【００３８】
第２の実施形態で用いるプラズマディスプレイパネルの構造は第１の実施形態と同じであり、図１及びその表面側から見た平面図である図３を参照して説明する。
このプラズマディスプレイパネルを動作させるための駆動方法を図５を参照して説明する。第１の実施形態と同じように、まず初期化期間があり、全てのセルを初期化すると共に、後続する走査期間において書込み放電が容易になるようにする。
走査期間においては、１ラインおきに、即ち、走査期間を２分割して、奇数ラインと偶数ラインを別々に走査する。奇数ラインを走査している時には、奇数ライン上の維持電極Ｃ１の電圧は従来例図１０と同じ値にしておくが、維持電極Ｃ１と隣合う維持電極Ｃ２の電位はＶｂｗ２分だけ電圧を低減する。偶数ラインを走査する時には、偶数ライン上の維持電極Ｃ２の電圧は従来例図１０と同じ値にしておくが、維持電極Ｃ２と隣合う維持電極Ｃ１の電位はＶｂｗ２分だけ電圧を低減する。このようにすることによって、第１の実施形態と同様に、隣合う維持電極間で電位差を設けることで、維持電極によって挟まれる非放電空間における放電の干渉を抑制することができる。
【００３９】
第１の実施形態は線順次に連続して走査する駆動波形であり、１ラインおきに維持電極の電位が変化するため、プラズマディスプレイパネルに対して充放電電流が発生し、消費電力が大きくなってしまうが、走査期間を２分割して、それぞれの期間において奇数ライン、偶数ラインを別々に走査すれば、電位の変化は１回のみになり、充放電電流を減らすことができ、消費電力増大を避けられる。
１行おきに走査するため、隣合うセルの書込み放電で発生するプライミング粒子を取り込むことはできなくなるが、列方向のセル間で十分に放電空間が接続されていれば、１つ離れたセルの放電で発生するプライミング粒子でも放電確率上昇の効果が期待できる。
【００４０】
第３の実施形態で用いるプラズマディスプレイパネルの構造は基本的には図６に示すものであり、本図及びその表示面側から見た平面図である図７（ａ）を参照して説明する。
絶縁基板１ａ，１ｂが対向しておかれ、絶縁基板１ａ上には、行方向に延びる複数の走査電極９及び維持電極１０が平行になるように設けられ、２個の走査電極９の２個と維持電極１０の２個が交互に配置されている。走査電極９と維持電極１０はそれぞれ、行方向の電気伝導性を確保するためのバス電極３と、放電を行うための主放電電極２から構成される。
【００４１】
主放電電極２は放電空間近傍では行方向に大きな幅をもっているが、バス電極３に向かう途中で幅を細くし、バス電極３とはこの幅で接するような形状にしている。隣合う走査電極９と維持電極１０の間が放電空間になっており、走査電極間及び維持電極間は非放電空間になっている。すなわち、走査電極９及び維持電極１０のそれぞれの主放電電極２は、走査電極９と維持電極１０との間の放電空間側幅広部１１と、走査電極同士又は維持電極同士の間の非放電空間側幅狭部１２とを有し、前記幅広部同士が放電空間において対峙している。
【００４２】
走査電極９及び維持電極１０は誘電体層４ａに覆われており、この誘電体層４ａを放電から保護するために保護膜５が誘電体層４ａ上に設けられている。他方、絶縁基板１ｂ上には、走査電極９と維持電極１０とに直交するように、データ電極６が配置されている。データ電極６は誘電体層４ｂに覆われており、誘電体層４ｂ上には絶縁基板１ａ，１ｂの間に放電空間を確保すると共に、セルを区画するための隔壁７が列方向に延びるように形成されている。非放電空間にも、列方向の隔壁７との間に隙間を設け、くびれ部をもつ主放電電極２のくびれ部の幅を含むように第２の隔壁７’が配置されている。
隔壁７，７’が形成されていない誘電体層４ｂ上及び隔壁７，７’、非放電空間に配置された隔壁側面には、放電により発生する紫外線を可視光に変換するための蛍光体８が塗布されている。絶縁基板１ａ，１ｂによって挟まれ、隔壁７によって区画された空間には、ヘリウム、ネオン、キセノン等、又は、これらの混合ガスからなる放電ガスが封入されている。
【００４３】
この構造のプラズマディスプレイパネルを駆動するためには従来例で説明した図１０に示す方法を用いる。以上説明したプラズマディスプレイパネルの動作マージンは図４（ｂ）に示すように、１５６Ｖから１８２Ｖであった。これは図３の構造である場合の動作マージン、１５５Ｖから１７４Ｖと比べると、動作マージンは約１０Ｖも改善した。
従来例で横隔壁に溝を開けることによってマージンが狭くなったのは、放電が溝部で広がることによって、列方向で隣合うセルにまで干渉するためであった。これは放電を行うための電極が行方向で帯状であり、セルの行方向全体で繋がっており、放電が電極全体にまで広がり、そのため溝部においても放電が広がって干渉が発生することによる。
そこで、本実施形態では主放電電極２の形状を図７（ａ）に示すようにくびれ部、すなわち、幅狭部１２を持つ形状に変えている。このようにすることで、主放電電極２では放電は、幅広部１１は当然のことながら、幅狭部１２の電極部に強く発生する。この結果、隣合うセルとの境界部において放電が広がる領域を制限することができ、非放電空間において、放電が広がる経路にのみデータ電極６と実質的に同じ幅の第２の隔壁７’を設けて遮蔽するようにすれば放電は広がらない。
主放電電極２はバス電極３と接しているが、放電は放電空間から成長していくため、バス電極２の位置では、放電の幅を行方向に広げるようには成長しにくい。そのためバス電極２に沿うようには広がらず、干渉は発生しにくい。このような形状にすることによって維持放電が発生している時の干渉を抑えられるだけでなく、書込み放電時に走査電極と維持電極との間で発生する放電による干渉抑制にも効果があり、動作マージンを拡大することができる。
【００４４】
図６及び図７（ａ）に戻り、隔壁７に対して第２の隔壁７’が隙間をもって配置されているので、行方向の第２の隔壁によってセルが密閉型になっている場合と比べると、第２の隔壁による遮光が緩和され、輝度が向上した。
また、密閉型のセル構造ではプライミング効果をほとんど取り込めないため、走査順上位の列方向で隣合うセルが選択される場合でも、走査順上位の列方向で隣合うセルが選択されない場合に比べて、放電遅れ時間は０．８倍程度までしか短縮されなかったが、本実施形態では列方向で放電空間を接続した結果、走査順上位の列方向で隣合うセルからのプライミング効果を取り込めるようになり、走査順上位の列方向で隣合うセルで書込み放電が発生した場合の放電遅れ時間は、走査順上位の列方向で隣合うセルが選択されない場合と比べると放電遅れ時間は０．５倍程度にまで短縮された。
【００４５】
なお、本実施形態においては２個の走査電極おきに２個の維持電極を交互に配置するプラズマディスプレイパネルを用いたが、このように走査電極及び維持電極を配置する構造に限らない。
また、本実施形態においては、図６に示す構造のプラズマディスプレイパネルを駆動するための方法として、図１０に示す方法を用いたが、第１の実施形態で説明した図３に示す方法、又は、第２の実施形態で説明した図５に示す方法を用いれば、より干渉抑制の効果が得られる。
【００４６】
第４の実施形態で用いるプラズマディスプレイパネルの構造は、主放電電極２及び非放電空間に配置する隔壁以外は図６と同じであり、表示面側から見た平面図は図７（ｂ）に示す構造である。
図７（ａ）に示す構造では、行方向の第２の隔壁７’の形状は両脇に溝を設ける形状にしていたが、図７（ｂ）に示す構造は列方向の隔壁７と一体化して、片側のみに溝を設けた形状である。
主放電電極２は放電空間部では行方向に延びる幅広部１１をもっているが、バス電極３に向かう途中で、第２の隔壁７’が一体になる隔壁７に寄るように幅狭部１２を備えており、主放電電極２は全体がＬ字状をしている。この狭めた幅を含むように非放電空間に第２の隔壁７’を配置が配置されている。
この構造のプラズマディスプレイパネルを駆動するためには図１０に示した従来の駆動方法を用いる。
【００４７】
本実施形態においても、放電は主放電電極２の電極部に強く発生する。この領域の幅を含むように、幅狭部１２に整列して非放電空間に第２の隔壁７’を設けているので、放電が広がる経路を遮蔽するができる。その結果、本実施形態においても動作マージンの領域は拡大する。
さらに、本実施形態においては非放電空間に配置する第２の隔壁７’と列方向の隔壁７とが一体化しているため、図７（ａ）と比べると、隔壁が崩れにくいという利点をもつ。
【００４８】
ところで、走査期間においては、走査電極（Ｓ）９とデータ電極（Ｄ）６の間で強い放電が発生する。そのため、図３（ｃ）に示した構造のように、データ電極６は行方向隔壁によって覆われるように配置した方が放電による干渉の影響をより少なくすることができる。
【００４９】
第５の実施形態に用いるプラズマディスプレイパネルの構造は、その表示面側から見た平面図が図７（ｄ）で示される構造であり、本図を用いて説明する。
本実施懈怠においては非放電空間には第２の隔壁を設けない。主放電電極２は放電空間部では行方向に大きな幅をもっているが、バス電極３に向かう途中で、幅を狭める。主放電電極２の形状は、図７（ｂ）及び図７（ｃ）に示された主放電電極２の形状と実質的に同じである。そして、この幅を狭めた幅狭部１２部が非放電空間を挟んで列方向で重ならないように、千鳥状に配置されている。なお、データ電極６は、一対の隔壁７の間の中央に配置されている。
【００５０】
この構造のプラズマディスプレイパネルを駆動するためには図３に示した実施形態１の駆動方法を用いる。本実施形態においても、放電は主放電電極２の電極部に強く発生する。主放電電極２の幅を狭めることで、隣合うセルとの境界部において放電が広がる領域を制限することができ、放電の強い領域が非放電空間を挟んで隣合うセル間で別々になる。また、走査期間においては、書込み放電を行っているセルと隣合うセルの維持電極１０の電圧をＶｂｗ２分だけ低減させているので、隣合う維持電極間で電位差が設けられており、干渉を抑制することができる。その結果、本実施形態においても動作マージンの領域は拡大する。
【００５１】
ところで、走査期間においては、走査電極（Ｓ）９とデータ電極（Ｄ）６の間で強い放電が発生する。そのため、図７（ｅ）に示した構造のように、データ電極６を主放電電極に沿って配置し、非放電空間においても列方向に直線にしないように配置した方が放電による干渉の影響をより少なくすることができる。
【００５２】
【発明の効果】
以上説明したように、本発明においては、次のような効果を奏する。１つの前記走査電極に属する前記表示セルの表示の有無を制御する選択期間において、当該表示セルに属する前記維持電極の電位と前記維持電極と隣合う維持電極の電位を異なった値とすることにより、表示ライン間の間隔が狭い場合でも放電の広がりを抑制することができ、その結果、干渉を抑制され、隣合うセルにおいても書込み放電が正しく発生させることができるので、動作マージンが拡大する。
【図面の簡単な説明】
【図１】  本発明の第１及び第２の実施形態におけるプラズマディスプレイパネルの分解斜視図である。
【図２】  本発明のプラズマディスプレイパネル表示面側から見た平面図である。
【図３】  本発明の第１の実施形態のプラズマディスプレイパネルの駆動方法における駆動波形を示す図である。
【図４】  駆動マージン領域が拡大された結果を示す図であり、（ａ）第１の実施形態による結果、（ｂ）第２の実施形態による結果である。
【図５】  本発明の第２の実施形態のプラズマディスプレイパネルの駆動方法における駆動波形を示す図である。
【図６】  本発明の第３の実施形態におけるプラズマディスプレイパネルの分解斜視図である。
【図７】  他の実施形態における列方向で放電空間が分離されていないプラズマディスプレイパネルを表示面側から見た平面図であり、
（ａ）くびれ部をもつ主放電電極にし、くびれ部の幅を含むように非放電空間に第２の隔壁を設けたプラズマディスプレイパネルの部分平面図、
（ｂ）くびれ部をもつ主放電電極であり、くびれ部の幅を含むように非放電空間に設ける第２の隔壁を列方向に分離する隔壁と一体化したプラズマディスプレイパネルの部分平面図、
（ｃ）くびれ部をもつ主放電電極であり、くびれ部の幅を含むように非放電空間に設ける第２の隔壁を列方向に分離する隔壁と一体化し、非放電空間においてデータ電極が隔壁に覆われたプラズマディスプレイパネルの部分平面図、
（ｄ）非放電空間を挟んで、くびれ部が列方向で重ならないように主放電電極が設けられたプラズマディスプレイパネルの部分平面図、
（ｅ）非放電空間を挟んで主放電電極のくびれ部が列方向で重ならず、データ電極がくびれ部に沿って設けられたプラズマディスプレイパネルの部分平面図である。
【図８】  従来のプラズマディスプレイパネルの分解斜視図である。
【図９】  非放電空間にも隔壁を設けたプラズマディスプレイパネルの要部断面図であり、（ａ）非放電空間が大きい構造、（ｂ）非放電空間を狭め、隔壁を設けて密閉型にした構造、（ｃ）２個の走査電極と２個の維持電極を交互に設け、非放電空間を狭め、隔壁を設けて密閉型にした構造を示す。
【図１０】  従来例の駆動波形を説明するための、各電極に印加される電圧パルスを示すタイムチャートである。
【図１１】  従来の他のプラズマディスプレイパネルを表示面側から見た図である。
【符号の説明】
１ａ，１ｂ 絶縁基板
２          主放電電極
３          バス電極
４ａ，４ｂ  誘電体層
５          保護膜
６          データ電極
７          隔壁
７’        第２の隔壁
８          蛍光体
９          走査電極
１０        維持電極
１１        幅広部
１２        幅狭部
【図１】
0003695746.tif 000002
【図２】
0003695746.tif 000003
【図３】
0003695746.tif 000004
【図４】
0003695746.tif 000005
【図５】
0003695746.tif 000006
【図６】
0003695746.tif 000007
【図７】
0003695746.tif 000008
【図８】
0003695746.tif 000009
【図９】
0003695746.tif 000010
【図１０】
0003695746.tif 000011
【図１１】
0003695746.tif 000012